(57)【要約】  手袋本体１０Ｂの５つの指挿入部４０Ａ乃至４０Ｅのうち、少なくとも中指と薬指と小指に相応する３つの指挿入部４０Ｃ、４０Ｄ、４０Ｅに跨って隣り合う指挿入部の間隔を調整することができるようにしてこれらの３つの指挿入部の甲側に配置されてこれらの指挿入部にそれぞれ保持された１つの引っ掛け用索条５２を含み、手袋を嵌めていない手側の小指を引っ掛け用索条５２に引っ掛け、手袋１０を嵌めていない親指と人差し指等で手袋１０の親指及び人指し指に相応する指挿入部４０Ａ、４０Ｂを摘まむことによって、すべて指から手袋１０のすべての指挿入部４０Ａ乃至４０Ｅを同時に引き外すことができる。
2010029614.tif 000002
【特許請求の範囲】
【請求項１】
着用者の手の甲と掌とを包むように一体に結合された甲部と掌部と前記甲部及び掌部の先端から延びて前記着用者の各指に被せられるべき５つの指挿入部とから成る手袋本体を備えた手袋において、前記手袋本体の５つの指挿入部のうち、少なくとも中指と薬指と小指に相応する３つの指挿入部に跨って隣り合う指挿入部の間隔を調整することができるようにして前記指挿入部の甲部に配置されて前記指挿入部に取り付けられ前記３つの指挿入部を空き手の小指で引っ掛けて同時に引っ張ることができる１つの引っ掛け用索条を含む手袋本体脱ぎ手段を備えていることを特徴とする手袋。
【請求項２】
請求項１に記載の手袋であって、前記手袋本体脱ぎ手段は、前記引っ掛け用索条の両端を前記中指と小指の指挿入部にそれぞれ固定する固定部と前記引っ掛け用索条の中間部を保持する保持部とを更に含んでいることを特徴とする手袋。
【請求項３】
請求項２に記載の手袋であって、前記保持部は、前記引っ掛け用索条が前記薬指に相応する指挿入部に対して横方向に変位できるように前記引っ掛け用索条を前記薬指に相応する指挿入部に保持していることを特徴とする手袋。
【請求項４】
請求項２又は３に記載の手袋であって、前記固定部は、前記引っ掛け用索条を前記指挿入部に直接固定して形成されていることを特徴とする手袋。
【請求項５】
請求項２又は３に記載の手袋であって、前記固定部は、前記引っ掛け用索条に固定されて前記指挿入部に縫着、熱融着、接着又は面固着される固定片から成っていることを特徴とする手袋。
【請求項６】
請求項２乃至５のいずれかに記載の手袋であって、前記保持部は、前記薬指に相応する指挿入部の甲側に設けられて前記引っ掛け用索条が貫通する１対の縦スリット間の生地部分から成っていることを特徴とする手袋。
【請求項７】
請求項２乃至５のいずれかに記載の手袋であって、前記保持部は、前記引っ掛け用索条が貫通するように前記薬指に相応する指挿入部の甲側に取り付けられている保持片から成っていることを特徴とする手袋。
【請求項８】
着用者の手の甲と掌とを包むように一体に結合された甲部と掌部と前記甲部及び掌部の先端から延びて前記着用者の各指に被せられるべき５つの指挿入部とから成る手袋本体を備えた手袋に取り付けられるべき付属品であって、前記手袋本体の５つの指挿入部のうち、少なくとも中指と薬指と小指に相応する３つの指挿入部に跨って隣り合う指挿入部の間隔を調整することができるようにして前記指挿入部の甲側に配置されて取り付けられ前記３つの指挿入部を空き手の小指で引っ掛けて同時に引っ張ることができる１つの引っ掛け用索条を含む手袋本体脱ぎ手段から成っていることを特徴とする手袋用付属品。
【請求項９】
請求項８に記載の手袋用付属品であって、前記手袋本体脱ぎ手段は、前記引っ掛け用索条の両端を前記中指と小指の指挿入部にそれぞれ固定する固定部と前記引っ掛け用索条の中間部を前記薬指の指挿入部に保持する保持部とを含み、前記固定部は、前記引っ掛け用索条の両端の下面又は前記引っ掛け用索条の両端に固定され指挿入部に熱融着、接着又は面固着されるべき固定片の下面に設けられた固定材から成り、前記保持部は、前記引っ掛け用索条が横方向に変位するのを許しながら前期引っ掛け用索条の中間部を前記指挿入部に保持するように前記指挿入部に熱融着、接着又は面固着されるべき保持片から成っていることを特徴とするゴルフ手袋用付属品。
【発明の詳細な説明】
【技術分野】
【０００１】
本発明は、着用者が容易に脱ぐことができる手袋及びその付属品に関し、プレーの途中で頻繁に着脱することが要求されるゴルフ手袋、野球手袋（打撃時に使用する手袋）の如きスポーツ手袋に特に好適な構造を有する手袋に関するものである。
【背景技術】
【０００２】
手袋は、一般に、甲部と掌部とこれらの甲部と掌部とから延びている５つの指挿入部とから成っており、ゴルフ手袋の如きスポーツ手袋は、通常、掌部から延びる止め具を甲部に面ファスナーによって開閉自在にして手に着用される。【０００３】
例えば、ゴルファーは、プレー終了後はもちろん、プレー中であっても、種々の理由で手袋を脱ぐことがある。例えば、アプローチショットやパッティングをする際、あるいはホールの間でキャディバックから物を取り出す際等にゴルフ手袋を脱ぐことがある。【０００４】
アプローチショットやパッティングの際には、プレーを迅速に行うために、ゴルフ手袋を素早く脱ぐことが要求される。ゴルフ手袋は、ゴルフクラブを密着して把持することができるようにするために、通常、プレーヤーの手の甲、掌及び指に密着して嵌められるので、ゴルフ手袋を脱ぐのに相当の時間がかかり、特に、指挿入部は、一本ずつ、指挿入部の頂部を引っ張って外すので、すべての指挿入部を相応する指から脱がすのに相当の時間がかかる。雨中でのプレー時には雨が降っていない中でのプレー時よりも、ゴルフ手袋が手に一層密着しているので、ゴルフ手袋を脱ぐのが一層困難になる。【０００５】
アプローチショットやパッティングの際にゴルフ手袋を脱ぐのは、素手でクラブを把持した方がクラブをコントロールし易いためである。従来技術のゴルフ手袋の中には、ゴルフ手袋を嵌めたままでも、アプローチショットやパッティングをし易いように、指挿入部のうち、中指と薬指と小指との挿入部の掌側の部分の肉厚を小さくして、恰もゴルフ手袋を脱いだのと同じ状態にするようにしているものがある（特許文献１参照）。【０００６】
しかし、このような構造のゴルフ手袋は、構造が複雑であつで製造が面倒である上に、指挿入部の一部を肉薄にしても、素手でのプレーのように、アプローチショットやパッティングのコントロールを有効に行うことが難しく、もし、ゴルフ手袋を簡単に脱ぐことができれば、その方が好ましい。また、ゴルフ手袋を簡単に脱ぐことができれば、アプローチショットやパッティング以外に、ゴルフ手袋を脱ぐ必要がある場合にも便宜である。【０００７】
一方、一般の手袋でも、この手袋を脱ぎ易くするようにした種々の構造が提案されている。例えば、指先開放型手袋の任意の指挿入部の掌側の先端付近に指が延びる方向に交差するように指掛け用輪部を設ける構造が提案されている（特許文献２参照）。この構造の手袋は、指掛け用輪部に反対側の手の指を引っ掛けて脱がされるが、スポーツ手袋の場合には、掌側はクラブやバット等を把持する面であるため、クラブやバット等の把持に支障をきたし、また手袋を迅速に脱ぐためには、できるだけ多くの指挿入部に指掛け用輪部を設ける必要があるが、各指毎に反対側の指を引っ掛けなければならないため、脱ぐ準備であるすべての指の引っ掛け操作に相当の時間がかかり、手袋を迅速に脱ぐのに支障となる欠点がある。【０００８】
また、指挿入部なしの手袋の隣り合う指通し部の間毎に紐で繋ぐ構造が提案されている（特許文献３参照）。しかし、この構造を指挿入部を有する手袋に適用するにしても、紐がすべての指挿入部の間の根元に位置するため、隣り合う指の間の紐に反対側の手の相応する指をそれぞれ引っ掛けなければならないので、同様に、手袋を脱ぐのに時間がかかり、また隣り合う指挿入部の間に引っ掛け用の紐が介在しするので、指の間の密着性を阻害しクラブやバット等を把持するスポーツ手袋に使用する場合、クラブやバット等を把持するのに好ましくなく、更に、人差し指が紐で拘束されるので、ゴルフ手袋として使用する際にゴルフクラブをグリップすることができない。【０００９】
【特許文献１】特開平１１−２６７２６３公報
【特許文献２】登録実用新案第３１２２７１４号公報
【特許文献３】実開平６−３０１１６号公報
【発明の開示】
【発明が解決しようとする課題】
【００１０】
本発明が解決しようとする１つの課題は、着用時の指間の間隔を拘束したり、指相互の密着性を阻害したりすることがなく、且つ着用状態にある手袋本体を各指から同時に外して手袋本体をワンタッチで脱ぐことができる手袋を提供することにある。【００１１】
本発明が解決しようとする他の課題は、着用時の指間の間隔を拘束したり、指相互の密着性を阻害したりすることがなく、且つ着用状態にある手袋本体を各指から同時に外して手袋本体をワンタッチで脱ぐことができるように手袋本体に取り付けて使用することができるのに好適な手袋用付属品を提供することにある。
【課題を解決するための手段】
【００１２】
本発明の第１の課題解決手段は、着用者の手の甲と掌とを包むように一体に結合された甲部と掌部とこの甲部及び掌部の先端から延びて着用者の各指に被せられるべき５つの指挿入部とから成る手袋本体を備えた手袋において、手袋本体の５つの指挿入部のうち、少なくとも中指と薬指と小指に相応する３つの指挿入部に跨って隣り合う指挿入部の間隔を調整することができるようにして指挿入部の甲側に配置されてこれらの指挿入部にそれぞれ取り付けられ３つの指挿入部を空き手の小指で引っ掛けて同時に引っ張ることができる１つの引っ掛け用索条を含む手袋本体脱ぎ手段を備えていることを特徴とする手袋を提供することにある。【００１３】
本発明の第１の課題解決手段において、手袋本体脱ぎ手段は、引っ掛け用索条の両端を中指と小指の指挿入部にそれぞれ固定する固定部と引っ掛け用索条の中間部を保持する保持部とを更に含んでいる形態とすることができる。【００１４】
この場合、保持部は、引っ掛け用索条が薬指に相応する指挿入部に対して横方向に変位できるように引っ掛け用索条を薬指に相応する指挿入部に保持しているのが好ましい。【００１５】
固定部は、引っ掛け用索条を指挿入部に直接固定して形成されていてもよいし、引っ掛け用索条に固定されて指挿入部に縫着、熱融着、接着又は面固着される固定片から成っていてもよい。【００１６】
他方、保持部は、薬指に相応する指挿入部の甲側に設けられて引っ掛け用索条が貫通する１対の縦スリット間の生地部分から成っていてもよいし、引っ掛け用索条が貫通するように薬指に相応する指挿入部の甲側に取り付けられた保持片から成っていてもよい。【００１７】
本発明の第２の課題解決手段は、着用者の手の甲と掌とを包むように一体に結合された甲部と掌部とこの甲部及び掌部の先端から延びて着用者の各指に被せられるべき５つの指挿入部とから成る手袋本体を備えた手袋に取り付けられるべき付属品であって、手袋本体の５つの指挿入部のうち、中指と薬指と小指に相応する３つの指挿入部に跨って隣り合う指挿入部の間隔を調整することができるようにして指挿入部の甲側に配置して取り付けられ３つの指挿入部を空き手の小指で引っ掛けて同時に引っ張ることができる１つの引っ掛け用索条を含む手袋本体脱ぎ手段から成っていることを特徴とする手袋用付属品を提供することにある。【００１８】
本発明の第２の課題解決手段において、手袋本体脱ぎ手段は、引っ掛け用索条の両端を中指と小指の指挿入部にそれぞれ固定する固定部と引っ掛け用索条の中間部を薬指の指挿入部に保持する保持部とを含み、固定部は、引っ掛け用索条の両端の下面又はこの引っ掛け用索条に固定され指挿入部に熱融着、接着又は面固着されるべき固定片の下面に設けられた固定材から成り、保持部は、引っ掛け用索条が横方向の変位を許しつつ指挿入部に保持するように指挿入部に熱融着、接着又は面固着されるべき保持片から成っているのが好ましい。
【発明の効果】
【００１９】
本発明によると、手袋本体の５つの指挿入部のうち、少なくとも中指と薬指と小指に相応する３つの指挿入部に跨って隣り合う指挿入部の間隔を自由に調整することができるようにして指挿入部に取り付けられ３つの指挿入部を空き手の小指で引っ掛けて同時に引っ張ることができる１つの引っ掛け用索条を含む手袋本体脱ぎ手段を備えているので、空き手の親指と人差し指等で親指と人差し指に相応する指挿入部の先端を挟みながら引っ掛け用索条に小指を引っ掛けて引っ張ると、すべての指から相応する指挿入部が外れて手袋を手指から外すことができ、手袋を手指からワンタッチで容易に脱がせることができる。【００２０】
また、指挿入部は、相互に自由に間隔を調整することができるので、例えば、ゴルフ手袋や野球手袋の如きスポーツ手袋に適用する場合に、クラブやバット等を把持するのに支障がなく、特に、薬指に対しては引っ掛け用索条が横方向に変位することができると、薬指は、その両隣の中指や小指に対して一層自由に間隔を制御することができ、指挿入部を拘束することが全くなく、またこの引っ掛け用索条は、隣り合う指の間に入り込むことがないように設けられているので、着用時に指相互の密着性を阻害することがなく、引っ掛け用索条がない手袋と同様の自由な使用感を付与することができる。【００２１】
更に、手袋本体脱ぎ手段は、引っ掛け用索条又はその固定片、保持片を手袋本体の指挿入部に縫着、熱融着、接着又は面固着によって容易に取り付けることができるので、製造が容易であり、またこの手袋脱ぎ手段を有しない既存のゴルフ手袋にも容易に取り付けることができる。
【図面の簡単な説明】
【００２２】
【図１】本発明の１つの実施の形態によるゴルフ手袋の正面図である。
【図２】図１のゴルフ手袋の背面図である。
【図３】図１及び図２のゴルフ手袋の手袋本体脱ぎ手段の拡大正面図である。
【図４】図３の手袋本体脱ぎ手段の固定部と保持部とを示し、同図（Ａ）は、固定部を示すために図３のＡ−Ａ線で切断した断面図、同図（Ｂ）は、保持部を示すために図３のＢ−Ｂ線で切断した断面図である。
【図５】図１及び図２のゴルフ手袋を脱ぐ際の手順を示すブロック図である。
【図６】図１及び図２のゴルフ手袋を嵌めてゴルフクラブを握った状態の斜視図である。
【図７】本発明の他の形態による手袋本体脱ぎ手段の拡大正面図である。
【図８】図７の手袋本体脱ぎ手段の固定部と保持部とを示し、同図（Ａ）は、固定部を示すために図８のＡ−Ａ線で切断した断面図、同図（Ｂ）は、保持部を示すために図８のＢ−Ｂ線で切断した断面図である。
【図９】ゴルフ手袋に取り付けてゴルフ手袋を脱ぎやすくするのに好適なゴルフ手袋用付属品を示し、同図（Ａ）は、その正面図、同図（Ｂ）は、その縦断面図である。
【発明を実施するための最良の形態】
【００２３】
以下本発明を実施するための最良の形態を図面に基づいて説明する。本発明の１つの実施の形態の手袋１０を図１乃至図３を参照して述べるが、図示の形態では手袋１０は、ゴルフ手袋であるが、本発明は、ゴルフ手袋以外に、他のスポーツ手袋、その他の一般的な手袋にも適用することができる。この手袋は、天然皮革、合成皮革その他の適宜の材料から作ることができる。【００２４】
手袋１０は、着用者の手の甲と掌とを包むように一体に結合された甲部２０と掌部３０とこれらの甲部２０及び掌部３０の先端から一体に延びて形成されて着用者の各指に被せられるべき５つの指挿入部４０Ａ、４０Ｂ、４０Ｃ、４０Ｄ及び４０Ｅとから成る手袋本体１０Ｂを備えている。なお、図１において、符号１２は、甲部２０と掌部３０との手首側の開口部を面ファスナーで閉じて手袋本体１０Ｂを手から抜け止めする止め具である。【００２５】
本発明の手袋１０は、手袋本体１０Ｂの５つの指挿入部４０Ａ乃至４０Ｅのうち、少なくとも中指と薬指と小指に相応する３つの指挿入部４０Ｃ、４０Ｄ、４０Ｅに跨って隣り合う指挿入部４０Ｃと４０Ｄ及び４０Ｄと４０Ｅとの間隔を自由に調整するのを許すようにしてこれらの指挿入部４０Ｃ乃至４０Ｅの甲側に設けられこれらの３つの指挿入部を空き手の小指で引っ掛けて同時に引っ張ることができる１つの引っ掛け用索条５２を含む手袋本体脱ぎ手段５０を更に備えている。この引っ掛け用索条５２も手袋本体１０Ｂの材料と同じ材料から作られていてもよいが、指挿入部に固定することができれば、異なる材料、例えば、異なるプラスチック紐、帯その他の材料から作ることもできる。【００２６】
手袋本体脱ぎ手段５０は、図３に示すように、引っ掛け用索条５２の両端を中指と小指の指挿入部４０Ｃ、４０Ｅにそれぞれ固定する固定部５４Ｃ、５４Ｅと、引っ掛け用索条５２の中間部を薬指の指挿入部４０Ｄに保持する保持部５４Ｄとを更に含んでいる。図示の形態では、保持部５４Ｄは、引っ掛け用索条５２が薬指に相応する指挿入部４０Ｄに対して横方向に変位できるようにこの索条５２を薬指に相応する指挿入部４０Ｄに保持している。【００２７】
図示の形態では、固定部５４Ｃ、５４Ｅは、引っ掛け用索条５２に縫い付けによって形成されている。図４を参照して更に詳細に述べると、固定部５４Ｅは、図４（Ａ）に示すように、索条５２の端部５２ｅを小指の指挿入部４０Ｅの甲側生地と掌側生地との外側縫着部４０ＥＭに挟み込んで縫い付けるとともに、甲側生地と掌側生地との内側縫着部４０ＥＭに対応する索条部分又はそれよりも内側の索条部分を指挿入部４０Ｅの甲側生地部分に縫い付けて形成されている。固定部５４Ｃも同様にして形成されるが、指挿入部４０Ｃの人差し指側に面する側が固定部５４Ｅの外側縫着部４０ＥＭに挟み込むような形態と同じ形態で形成され、指挿入部４０Ｃの薬指側に面する側が固定部５４Ｅの内側の形態と同じ形態で指挿入部４０Ｃの甲側生地部分に縫い付けて形成される。なお、索条５２の端部５２ｅは、指挿入部５４Ｅの外側縫着部４０ＥＭに挟み込むことなく、指挿入部５４Ｅの甲側生地部分に縫い付けてもよい。図示の形態では、索条５２は、指挿入部４０Ｃ、４０Ｅの両側に固定しているが、いずれか一方のみで固定してもよい。いずれにしても、索条５２が、掌側に露呈したり指挿入部の間に入り込んだりして手袋着用時に指の間に索条５２が介在して指相互の密着を害することがないようにすることが必要である。なお、中指の指挿入部４０Ｃと人差し指の指挿入部４０Ｂとは通常ゴルフクラブの把持に際しては相互に密着することがなく（図６参照）、従って指挿入部４０Ｃの人差し指の指挿入部４０Ｂ側の縫着部に索条５２の端部(端部５２ｅとは反対側の端部)を挟み込んでも支障がないが、この端部は、この縫着部よりも内側の甲側生地部分に縫い付けてもよいことはもちろんである。【００２８】
また、図示の形態では、保持部５４Ｄは、薬指に相応する指挿入部４０Ｄの甲側生地に設けられて引っ掛け用索条５２が貫通する１対の縦スリット４０ＤＳ間の生地部分４０ＤＰＡから成っている(図３及び図４（Ｂ）参照)。引っ掛け用索条５２は、この生地部分４０ＤＰＡの内面を潜り抜けるようにこれらの縦スリット４０ＤＳを通して横方向に自由に変位することができるように指挿入部４０Ｄに保持されている。なお、図４（Ｂ）において、符号４０ＤＭは、指挿入部４０Ｄの甲側生地と掌側生地との両側の縫着部を示す。【００２９】
次に、図１及び図２に示すゴルフ手袋１０の使用状態を述べると、このゴルフ手袋１０は、通常のように、手袋本体１０Ｂを左手(右利きの場合)に嵌めて使用する。手袋本体脱ぎ手段５０の引っ掛け用索条５２は、中指、薬指及び小指に相応する指挿入部４０Ｃ乃至４０Ｅの隣り合う指挿入部４０Ｃと４０Ｄ及び４０Ｄと４０Ｅ間で間隔を調整することができるような長さに設定されており、且つ薬指に相応する指挿入部４０Ｄに対しては横方向に変位することができるように手袋本体１０Ｂに保持されているので、図６に示すように、このゴルフ手袋１０を嵌める際やこのゴルフ手袋１０を介してゴルフクラブ６０を握る際に、この引っ掛け用索条５２がこれらの指挿入部４０Ｃ、４０Ｄ、４０Ｅの間隔を拘束することがなく、プレーに支障を来すことがない。特に、引っ掛け用索条５２は、指挿入部４０Ｃ、４０Ｄ、４０Ｅの甲側に沿って配置され、且つ隣り合う指の間にこの引っ掛け用索条５２自体又はその固定部５４Ｃ、５４Ｅが入り込むことがないので、手袋本体脱ぎ手段５０を有しない通常の手袋と同様に、掌側や中指から小指までの指間の触感を損なうことがないし、相互に密着することができる。手袋がゴルフ手袋である場合、掌面とゴルフクラブとの間や中指から小指までの指間の密着性はゴルフクラブを把持するのに極めて重要であるが、図１乃至図４の手袋は、これらの密着性を損なうことがないので有利である。【００３０】
着用者（プレーヤ）がアプローチショットやパッティングをする際のように、ゴルフ手袋を脱ぎたい場合には、まず、止め具１２を外し（図５のステップ１参照）、ゴルフ手袋を嵌めていない反対側の手（空き手）の小指を手袋本体脱ぎ手段５０の引っ掛け用索条５２の中指と薬指との間又は薬指と小指との間に引っ掛け（図５のステップ２参照）、また空き手の親指と人差し指との間に手袋本体１０Ｂの親指と人差し指に相応する指挿入部４０Ａ、４０Ｂの先端を同時に挟み込んで把持し（図５のステップ３参照）、この状態で引っ掛け用索条５２と指挿入部４０Ａ、４０Ｂを同時に引っ張る（図５のステップ４参照）。このようにすると、すべての指挿入部４０Ａ乃至４０Ｅが相応するすべての指から同時に円滑に引き抜かれ、ゴルフ手袋１０がワンタッチで手から脱がされる。なお、ゴルフ手袋１０の親指と人差し指とに相応する指挿入部４０Ａ、４０Ｂを把持する方法は、上記の空き手の親指と人差し指とで挟む方法以外に、空き手の親指と人差し指との間及び人差し指と中指との間でそれぞれ指挿入部４０Ａ、４０Ｂの先端を挟んでもよく、この場合も、空き手の小指を引っ掛け用索条５２に引っ掛けて手袋本体１０Ｂ全体を同時に引き抜くことができる。【００３１】
本発明の他の形態が図７及び図８に示されており、この形態では、固定部５４Ｃ、５４Ｅは、引っ掛け用索条５２に固定されて指挿入部４０Ｃ、４０Ｅの甲側に固着される固定片５４ＣＰ、５４ＥＰから成っており、また保持部５４Ｄは、引っ掛け用索条５２が貫通するように薬指に相応する指挿入部４０Ｄの甲側に取り付けられる保持片５４ＤＰＢから成っている。【００３２】
固定片５４ＣＰ、５４ＥＰは、縫着、熱融着又は接着のいずれかによって引っ掛け用索条５２に固定することができるが、図示の縫着が最も好ましい固定手段である(図８（Ａ）参照)。また、これらの固定片５４ＣＰ、５４ＥＰ及び保持片５４ＤＰＢは、縫着、熱融着、接着又は面固着(面ファスナー)のいずれかによって指挿入部４０Ｃ、４０Ｅ、４０Ｄにそれぞれ固定することができるが、図示の固定手段は、接着であるのが示されている(図８（Ａ）（Ｂ）参照)。固定片５４ＣＰ、５４ＥＰ及び保持片５４ＤＰＢは、指挿入部４０Ｃ、４０Ｅ、４０Ｄの甲側の幅４０Ｗよりも相当に小さい幅５４Ｗを有するが、これらの固定片５４ＣＰ、５４ＥＰ及び保持片５４ＤＰＢの幅５４Ｗは、指挿入部４０Ｃ、４０Ｅ、４０Ｄの甲側の幅４０Ｗを限度に幅４０Ｗに近い幅まで広くしてもよい。なお、図８（Ｂ）において、符号５４ＤＧは、引っ掛け用索条５２が指挿入部４０Ｄの甲側生地と保持片５４ＤＰＢとの間で横方向(指を横切る方向)に自由に変位することができるように、指挿入部４０Ｄの甲側生地と保持片５４ＤＰＢとの間に形成された隙間である。【００３３】
なお、上記図７、図８の実施の形態では、固定片５４ＣＰ、５４ＥＰ及び５４ＤＰＢは、引っ張り力に耐えることができれば、面ファスナー(面固着)等によって指挿入部４０Ｃ、４０Ｅ及び４０Ｄにそれぞれ固定してもよい。【００３４】
本発明は、手袋本体脱ぎ手段５０を有しない既存の手袋に手袋本体脱ぎ手段５０を後付することができる付属品１０ＡＣも提供するが、その１つの実施の形態が図９に示されている。【００３５】
図９に示すように、この付属品１０ＡＣは、図１又は図７のゴルフ手袋１０から手袋本体脱ぎ手段５０を独立して分離した構成物体に相応するものである。即ち、付属品１０ＡＣは、引っ掛け用索条５２と、その両端を中指と小指の指挿入部４０Ｃ、４０Ｅ(図１及び図２参照、以下同じ)にそれぞれ固定すべき固定片５４ＣＰ、５４ＥＰと、引っ掛け用索条５２の中間部を薬指の指挿入部４０Ｄに左右に変位することができるように保持すべき保持片５４ＤＰＣとから成っている。【００３６】
固定片５４ＣＰ、５４ＥＰは、引っ掛け用索条５２に縫着、熱融着又は接着によって固定されており、また、保持片５４ＤＰＣは、引っ掛け用索条５２が左右に変位することができるようにこの引っ掛け用索条５２が貫通する貫通孔５４ＤＰＣＨを有する。なお、付属品１０ＡＣが手袋本体１０Ｂに取り付けられるまでに保持片５４ＤＰＣを引っ掛け用索条５２に保持されるようにすることができれば、貫通孔５４ＤＰＣＨを有する必要はなく、例えば保持片５４ＤＰＣを保持紐で引っ掛け用索条５２に保持することができるようにしてもよい。この場合、保持片５４ＤＰＣを指挿入部４０Ｄに固定すれば、引っ掛け用索条５２は、この保持片５４ＤＰＣと指挿入部４０Ｄとの間で左右に変位することができるように、指挿入部４０Ｄに保持される。【００３７】
これらの固定片５４ＣＰ、５４ＥＰ及び保持片５４ＤＰＣは、剥離紙付きの圧力接着層又は熱融着層を下面（指挿入部に対応する面）に有するのが好ましい。これらの固定片５４ＣＰ、５４ＥＰ及び保持片５４ＤＰＣは、剥離紙を剥離した後、圧力接着層を指挿入部に加圧するか、熱融着層をアイロンなどで加熱しながら指挿入部に押し付けて指挿入部に固定することができる。【００３８】
この付属品１０ＡＣは，固定片５４ＣＰ、５４ＥＰ及び保持片５４ＤＰＣをそれぞれ手袋本体１０Ｂの指挿入部４０Ｃ、４０Ｅ、４０Ｄにそれぞれ取り付けて図１及び図２に示すのと同様の構造を有する手袋（例えばゴルフ手袋）とすることができる。【００３９】
なお、固定片５４ＣＰ、５４ＥＰは、必ずしも必要ではなく、引っ掛け用索条５２の両端の下面に剥離紙付き圧力接着層又は熱融着層から成る固定材を有していてもよい。
【産業上の利用可能性】
【００４０】
本発明の手袋は、手袋を嵌めていない手（空き手）側の小指を引っ掛け用索条に引っ掛け、手袋を嵌めていない親指と人差し指等でゴルフ手袋の親指及び人差し指に相応する指挿入部を同時に摘まむことによって、すべて指から手袋のすべての指挿入部を引き外すことができるので、手袋をワンタッチで脱がすことができ、手袋の脱ぎ操作を簡単に行うことができ、産業上の利用性が向上する。
【図１】
2010029614.tif 000003
【図２】
2010029614.tif 000004
【図３】
2010029614.tif 000005
【図４】
2010029614.tif 000006
【図５】
2010029614.tif 000007
【図６】
2010029614.tif 000008
【図７】
2010029614.tif 000009
【図８】
2010029614.tif 000010
【図９】
2010029614.tif 000011
【国際調査報告】
2010029614.tif 000012
2010029614.tif 000013